(57)【要約】【課題】商品に模したオブジェを水平に３６０度回転させるとともに、商品に関する香、音及び発光体等により消費者の商品への関心を高め、消費者の商品に対する購買意欲を高めることができる回転式広告塔を提供する。【解決手段】商品を模したオブジェを載置する回転台と、前記回転台を回転する回転駆動手段と、前記商品に関連する香を出す芳香手段と、前記商品に関連する音を出す出音手段と、複数の発光体で構成された発光手段と、前記回転駆動手段、前記芳香手段、前記出音手段及び前記発光手段の動作を制御する制御手段と、を備え、前記制御手段は、前記回転駆動手段を動作させるとともに、前記芳香手段、前記出音手段及び前記発光手段の内の一つ以上を同時に動作させることを特徴とする回転式広告塔。【選択図】図４
2016080765.tif 000002
【特許請求の範囲】
【請求項１】
商品を模したオブジェを載置する回転台と、
前記回転台を回転する回転駆動手段と、
前記商品に関連する香を出す芳香手段と、
前記商品に関連する音を出す出音手段と、
複数の発光体で構成された発光手段と、
前記回転駆動手段、前記芳香手段、前記出音手段及び前記発光手段の動作を制御する制御手段と、を備え、
前記制御手段は、前記回転駆動手段を動作させるとともに、前記芳香手段、前記出音手段及び前記発光手段の内の一つ以上を同時に動作させることを特徴とする回転式広告塔。
【請求項２】
前記制御手段は、前記回転駆動手段、前記芳香手段、前記出音手段及び前記発光手段の内の何れか一つを動作させた後に、残りの未動作手段を所定のタイミングにより段階的に動作させることを特徴とする請求項１に記載の回転式広告塔。
【請求項３】
前記芳香手段は、商品に関連する芳香剤を保持する芳香剤保持手段と、
前記芳香剤保持手段に送風して香を出す送風手段と、を備え、
前記制御手段は、前記送風手段による風力の強弱により香の濃度を変化させることを特徴とする請求項１又は２に記載の回転式広告塔。
【請求項４】
前記制御手段は、前記回転駆動手段による前記回転台の回転方向及び回転ピッチを変化させることを特徴とする請求項１〜３のいずれか１項に記載の回転式広告塔。
【請求項５】
前記出音手段は、商品に関連する複数の音を記憶する音記憶手段を備え、
前記制御手段は、前記音記憶手段から前記出音手段から出す音を選択可能としたことを特徴とする請求項１〜４のいずれか１項に記載の回転式広告塔。
【請求項６】
前記発光手段は、複数の異なる発光パターンを記憶する発光パターン記憶手段を備え、
前記制御手段は、前記発光パターン記憶手段から前記発光手段の発光パターンを選択可能としたことを特徴とする請求項１〜５のいずれか１項に記載の回転式広告塔。
【請求項７】
前記制御手段は、前記回転駆動手段、前記芳香手段、前記出音手段及び前記発光手段の内の何れか一つ又は少なくとも二つ以上を、予め定められた時間毎に動作させることを特徴とする請求項１〜６のいずれか１項に記載の回転式広告塔。
【発明の詳細な説明】
【技術分野】
【０００１】
本発明は、回転式広告塔に関し、詳しくは、商品に模したオブジェを回転させるとともに、商品に関する香、音を放出して消費者の商品への関心を高めることができる回転式広告塔に関するものである。
【背景技術】
【０００２】
従来、屋外等に設置された回転式広告塔は、３６０度回転自在な回転台や回転筒を有し、この回転台に広告を載置又は回転筒に広告を貼付して回転させることで、３６０度どの方向から見ても通行人が広告の内容を理解できるように構成されている。また、回転する広告に外側から照明を当てたり、広告の内側から発光体を発光させたりすることで、日没後であっても通行人が広告の内容を理解できるようにしている。
【０００３】
発光体を備えた回転式広告塔として、風力で回転する風車の羽根を設け、この回転する風車の羽根により発電し、この電力により羽根に配置した発光体を点灯する広告塔装置が開示されている（特許文献１参照。）。
【０００４】
また、薬店のシンボルである緑十字を立体的に構成して発光ダイオード等で電飾した広告塔本体を用いて、緑十字を水平方向に回転させることで３６０度何れの方向からも緑十字を認識できる様にした薬店向け回転式広告塔が開示されている（特許文献２参照。）。
【先行技術文献】
【特許文献】
【０００５】
【特許文献１】特開平８−２９５６５７号公報
【特許文献２】特開２００６−６５０２４号公報
【発明の概要】
【発明が解決しようとする課題】
【０００６】
しかしながら、上述した特許文献１の広告塔装置は、風力発電による電力で、羽根に配置した発光体を点灯させることで省電力を図ることができる広告塔装置とすることはできるが、回転する羽根とこの羽根に設けられた電飾だけでは、広告塔としてのインパクトに欠けるという問題があった。
【０００７】
また、上述した特許文献２の薬店向け回転式広告塔は、あくまで薬店であることを通行人に認識させる効果があるだけであり、薬店における商品の広告には何ら効果的なものではなかった。
【０００８】
本発明は、上記課題を解決するために、商品に模したオブジェを水平に３６０度回転させるとともに、商品に関する香、音及び発光体等により消費者の商品への関心を高め、消費者の商品に対する購買意欲を高めることができる回転式広告塔を提供することを目的とする。
【課題を解決するための手段】
【０００９】
上記目的を達成するために、請求項１に記載の発明は、商品を模したオブジェを載置する回転台と、前記回転台を回転する回転駆動手段と、前記商品に関連する香を出す芳香手段と、前記商品に関連する音を出す出音手段と、複数の発光体で構成された発光手段と、前記回転駆動手段、前記芳香手段、前記出音手段及び前記発光手段の動作を制御する制御手段と、を備え、前記制御手段は、前記回転駆動手段を動作させるとともに、前記芳香手段、前記出音手段及び前記発光手段の内の一つ以上を同時に動作させることを特徴とする回転式広告塔とした。
【００１０】
また、請求項２に記載の発明は、請求項１に記載の回転式広告塔において、前記制御手段は、前記回転駆動手段、前記芳香手段、前記出音手段及び前記発光手段の内の何れか一つを動作させた後に、残りの未動作手段を所定のタイミングにより段階的に動作させることを特徴とする。
【００１１】
また、請求項３に記載の発明は、請求項１又は２に記載の回転式広告塔において、前記芳香手段は、商品に関連する芳香剤を保持する芳香剤保持手段と、前記芳香剤保持手段に送風して香を出す送風手段と、を備え、前記制御手段は、前記送風手段による風力の強弱により香の濃度を変化させることを特徴とする。
【００１２】
また、請求項４に記載の発明は、請求項１〜３のいずれか１項に記載の回転式広告塔において、前記制御手段は、前記回転駆動手段による前記回転台の回転方向及び回転ピッチを変化させることを特徴とする。
【００１３】
また、請求項５に記載の発明は、請求項１〜４のいずれか１項に記載の回転式広告塔において、前記出音手段は、商品に関連する複数の音を記憶する音記憶手段を備え、前記制御手段は、前記音記憶手段から前記出音手段から出す音を選択可能としたことを特徴とする。
【００１４】
また、請求項６に記載の発明は、請求項１〜５のいずれか１項に記載の回転式広告塔において、前記発光手段は、複数の異なる発光パターンを記憶する発光パターン記憶手段を備え、前記制御手段は、前記発光パターン記憶手段から前記発光手段の発光パターンを選択可能としたことを特徴とする。
【００１５】
また、請求項７に記載の発明は、請求項１〜６のいずれか１項に記載の回転式広告塔において、前記制御手段は、前記回転駆動手段、前記芳香手段、前記出音手段及び前記発光手段の内の何れか一つ又は少なくとも二つ以上を、予め定められた時間毎に動作させることを特徴とする。
【発明の効果】
【００１６】
本発明によれば、回転式広告塔は、回転台に載置した販売する商品に模したオブジェを、回転駆動手段により回転させるとともに、商品に関連する香を出す芳香手段、商品に関連する音を出す出音手段及び複数の発光体で構成された発光手段の内の一つ以上を同時に動作させることができる。これにより、回転台に載置した商品に模したオブジェを水平に３６０度回転させて周囲の消費者に販売する商品の形をアピールするとともに、商品に関する香、音、複数の発光体（例えば、ＬＥＤ等）により消費者の商品への関心を高めることができる。すなわち、商品の特徴を消費者の視覚に効率よくアピールするだけではなく、嗅覚及び聴覚にもアピールすることができるので、消費者の商品への購買意欲の向上を図ることが可能な回転式広告塔を提供することができる。
【００１７】
また、回転式広告塔は、回転駆動手段、芳香手段、出音手段及び発光手段の内の何れか一つを動作させた後に、残りの未動作手段を段階的に動作させることができる。例えば、回転駆動手段により回転台に載置した商品に模したオブジェを回転させ、次に芳香手段により商品に関連する香を出し、更に出音手段により商品に関連する音を出し、最後に発光手段により複数の発光体を発光させて回転式広告塔を電飾するのである。この順番で、所定時間（例えば、３分）毎に段階的に動作する手段を増やしてゆくことで、消費者に従来にない意外性やインパクトを与えることができると共に、商品への購買意欲を高めることが可能な回転式広告塔を提供することができる。なお、段階的に動作させる各手段の順番は上述した順番に限らず、例えば、芳香手段を最初に動作させてもよいし、出音手段又は発光手段を最初に動作させた後に他の手段を段階的に動作させてもよい。
【００１８】
また、芳香手段は、商品に関連する芳香剤を保持する芳香剤保持手段と、芳香剤保持手段に送風して香を出す送風手段と、を備え、制御手段は、送風手段による風力の強弱により香の濃度を変化させることができる。これにより、広告の対象となる多種多様な商品（例えば、果物、お菓子等）に応じて芳香剤保持手段で保持される芳香剤を交換することで、多種多様な商品に対応した回転式広告塔とすることができる。また、香の強さに応じた商品ごとに、風力を調整することにより香の届く範囲を限定したり、香の出し方に強弱をつけたりすることができ消費者の嗅覚を刺激して商品への関心を喚起することができる。
【００１９】
また、回転駆動手段による回転台の回転方向及び回転ピッチを変化させることもできる。これにより、回転台に載置された商品を模したオブジェの回転動作を均一ではなく変化に富んだものとすることができるので、消費者の視覚に商品への関心を喚起することができる。
【００２０】
また、商品に関連する複数の音を記憶する音記憶手段を備え、音記憶手段から出す音を選択して出音手段で出すことができる。これにより、商品に関連して出音される音を単調ではなく変化をつけることができ、消費者の聴覚に商品への関心を喚起することができる。
【００２１】
また、複数の異なる発光パターンを記憶する発光パターン記憶手段を備え、発光パターン記憶手段に記憶された発光パターンを選択して発光手段を点滅させることができる。これにより、例えば、商品に模したオブジェを装飾するための発光体の発光パターンを多様なものとすることができ、消費者の視覚に商品への関心を喚起することができる。
【００２２】
また、制御手段は、回転駆動手段、芳香手段、出音手段及び発光手段の内の何れか一つ又は少なくとも二つ以上を、予め定められた時間毎に動作させることができる。これにより、例えば、本発明の回転式広告塔をスーパー等の商品の販促に用いた場合、タイムサービス等の予め定められた時間に応じて回転式広告塔の各手段を動作させることで、商品のアピールにメリハリをつけることができる。また、常に回転式広告塔の各手段を動作させるのではなく、時間を決めて回転式広告塔の各手段を動作させることで、省電力を図ることも可能である。
【図面の簡単な説明】
【００２３】
【図１】第一実施例の回転式広告塔の構成を示す斜視図である。
【図２】第一実施例の回転式広告塔の内部構成を説明する図である。
【図３】第一実施例の回転式広告塔の発光手段を説明する平面図である。
【図４】第一実施例の回転式広告塔へのオブジェの取付けを説明する図である。
【図５】第一実施例の回転式広告塔の制御手段の構成を説明するブロック図である。
【図６】第二実施例の回転式広告塔の構成を示す斜視図である。
【図７】第二実施例の回転式広告塔の内部構成を説明する図である。
【図８】第二実施例の回転式広告塔へのオブジェの取付けを説明する図である。
【図９】第二実施例の回転式広告塔へのオブジェの交換を説明する図である。
【図１０】回転式広告塔の動作を説明するフローチャートである。
【図１１】回転式広告塔の動作を説明するフローチャートである。
【発明を実施するための形態】
【００２４】
以下、回転式広告塔の実施例について、図面を参照して説明する。
【００２５】
第一実施例における回転式広告塔の構成を、図１〜４を参照して説明する。図１及び図２に示すように、第一実施例に係る回転式広告塔１は、円盤状のベース板５０の中央部に円筒形の回転台タワー４０が垂直に固設されている。回転台タワー４０の上部には、円筒形の回転台１０が水平に回転自在に連結されている。回転台１０の上面中央には円柱形のポール１１が垂直に固設され、その上端には円盤状の載置台１２が設置されている。
【００２６】
載置台１２の上面には、送風ファン２１、芳香剤保持部２２及びスピーカ３０が載置されている。第一実施例では送風手段としての送風ファン２１と芳香剤保持手段としての芳香剤保持部２２とにより、本発明における芳香手段としての芳香装置２０を構成している。具体的には、芳香剤保持部２２には香の素となる芳香剤２３が交換可能にセットされ、送風ファン２１により芳香剤保持部２２に送風することで、芳香剤２３に含まれる香を周囲に放出する構成としている。芳香剤２３としては、回転式広告塔１でアピールする商品に関連する香（商品をイメージするのに適した香）の芳香剤２３が用いられる。
【００２７】
また、広告の対象となる多種多様な商品（例えば、果物、お菓子等）に応じて芳香剤保持部２２で保持される芳香剤２３を容易に交換可能としているので、芳香剤保持部２２の芳香剤２３を入れ替えるだけで商品に対応した香に交換することができる。また、本発明では、後述の制御装置６０の記憶部６１（図５参照）に送風ファン２１の風力を決定する送風ファン２１の回転数データを複数記憶しており、この複数の回転数データから送風ファン２１の回転数データを選択することができる。これにより、香の強さに応じた商品ごとに、風力を調整することができ、香の届く範囲を限定したり、香の出し方に強弱をつけたりすることができ消費者の嗅覚を刺激して商品への関心を喚起することができる。
【００２８】
また、スピーカ３０は第一実施例における出音手段として機能するものであり、回転式広告塔１でアピールする商品に関連する様々な音を出音する。つまり、本発明では、後述の制御装置６０の記憶部６１（図５参照）に商品に関連する複数の音データが記憶されており、この複数の音データからスピーカ３０で出音する音データを選択して出音することができる。これにより、商品に関連して出音される音を単調ではなく変化をつけることができ、消費者の聴覚に商品への関心を喚起することができる。
【００２９】
図２及び３に示すように、回転台１０は円筒状に形成されており、上面には複数の扇形切欠き部１４が形成され、側面には複数の長方形切欠き部１５が形成されている。さらに、回転台１０の内部には、第一実施例における発光手段としての複数の発光体１３が内蔵されている。この複数の発光体１３としてはＬＥＤ等が好適に用いられる。つまり、本発明では、後述の制御装置６０の記憶部６１（図５参照）に複数の発光体１３の複数の発光パターン（点滅パターン、発光色等）が記憶されており、この複数の発光パターンから複数の発光体１３の発光パターンを選択する。これにより、複数の発光体１３の発光パターンを多様なものとすることができるので、消費者の視覚に商品への関心を喚起することができる。さらに、回転台１０の上面に形成された複数の扇形切欠き部１４や外周面に形成された複数の長方形切欠き部１５から複数の発光体１３の光が回転台１０の外部に照射され、さらに、回転台１０の上部に載置された商品を模したオブジェ７０（図４参照）を下方から照射することもできる。このため、回転台１０の上面に載置された商品を幻想的に電飾することができ、消費者の視覚に商品を効率よくアピールすることができる。
【００３０】
図４に示すように、回転台１０の上面には回転式広告塔１でアピールする商品を模したオブジェ７０が載置される。このオブジェ７０の素材としては、加工が容易な素材が用いられ、例えば、発泡スチロールや段ボール等が好適に用いられる。図４においては、リンゴの形を模したオブジェ７０を回転台１０の上面に載置している。オブジェ７０の内部及び下部には空洞が形成されており、回転台１０の上面に設けられたポール１１、載置台１２に設けられた送風ファン２１、芳香剤保持部２２及びスピーカ３０は、オブジェ７０の空洞内部に収納されて外部からは見えないようにしている。
【００３１】
また、オブジェ７０には、外部からの空気をオブジェ７０の内部に取り入れる空気入口７０ａと、オブジェ７０の内部の空気を外部に排出する空気出口７０ｂとが形成されている。この空気入口７０ａ及び空気出口７０ｂは、オブジェ７０の外部からは見えないように、それぞれ通気性の良い布７１で覆われている。また、空気出口７０ｂはオブジェ７０の側面に設けられ、オブジェ７０の回転に合わせて芳香手段による香を周囲に放出する構成が望ましいが、特に、オブジェ７０に設けられる空気入口７０ａ及び空気出口７０ｂの位置は限定されるものではなく、空気入口７０ａをオブジェ７０の下部に、空気出口７０ｂをオブジェ７０の上部に設けることもできる。
【００３２】
ベース板５０は、一枚の鉄板等で円盤状に形成されているが、円盤状に限らず矩形状に形成されていてもよい。また、図示はしないが、本発明のベース板５０には、回転式広告塔１を所定の場所に設置するための設置孔が設けられており、所定の場所に設置孔を介してビス等でベース板５０を固定することで、回転式広告塔１を所定の場所に固設することができるようにしている。
【００３３】
回転台タワー４０は、例えば、アクリル等の素材で中空の円筒形に形成され、この回転台タワー４０の内部には、上部に回転モータ４１が内蔵され、その下部に制御装置６０が内蔵されている。回転モータ４１は、本発明の回転駆動手段として機能するものであり、回転モータ４１の回転軸４２と連結された回転台１０を回転させる。ここで、詳細は後述するが、制御装置６０の記憶部６１（図５参照）には、回転台１０の回転方向や回転ピッチ（回転速度）が異なる複数の回転パターンが記憶されている。そして、回転モータ４１により回転台１０を回転させる場合に、制御装置６０の制御部６３は、複数の回転パターンから一つの回転パターンを選択して回転台１０を回転駆動する。これにより、本発明においては、回転台１０の表面に載置された商品を模したオブジェ７０の回転動作が均一ではなく変化に富んだものとすることができるので、消費者の視覚に商品への関心を喚起することができる。
【００３４】
制御装置６０は、本発明の制御手段として機能するものであり、回転式広告塔１が有する上述した各種手段（回転駆動手段、芳香手段、出音手段及び発光手段等）の動作を制御する。具体的には、上述した回転モータ４１、送風ファン２１、スピーカ３０及び複数の発光体１３（図３参照）の動作を制御するものである。また、回転台タワー４０は外周面下方には、回転式広告塔１の回転モータ４１のＯＮ／ＯＦＦスイッチや回転スピード調節つまみ等の各種操作スイッチ４３が設けられている。
【００３５】
上述してきた構成の回転式広告塔１によれば、回転台１０に載置した商品に模したオブジェ７０を水平に３６０度回転させて周囲の消費者に販売する商品の形状をアピールするとともに、商品に関する香（芳香手段）、音（出音手段）、複数の発光体（発光手段）等により、商品の特徴を消費者の視覚だけではなく、嗅覚及び聴覚に訴えることができるので、消費者の商品への購買意欲を高めることができる。
【００３６】
以下、図５を参照して、本発明の回転式広告塔１の制御装置６０の構成を説明する。図５は回転式広告塔１の制御装置６０の構成を説明するブロック図である。
【００３７】
回転式広告塔１は、記憶部６１、入出力制御部６２、制御部６３、電源制御部６４、時計用カウンタ６５などから構成されている。
【００３８】
記憶部６１は、ＨＤＤ（Ｈａｒｄ  Ｄｉｓｋ  Ｄｒａｉｖｅ）やフラッシュメモリなどにより構成され、回転式広告塔１の芳香手段としての送風ファン２１の回転数、出音手段としてのスピーカ３０の音データ、発光手段としての複数の発光体１３の発光パターン、回転駆動手段として回転モータ４１の回転パターン（回転方向、回転スピード等）、送風ファン２１の回転数データ等の各種情報が記憶される。
【００３９】
入出力制御部６２は、制御部６３と、芳香手段を構成する送風ファン２１、出音手段としてのスピーカ３０、発光手段としての複数の発光体１３及び回転駆動手段としての回転モータ４１との各種データの入出力を制御する。
【００４０】
制御部６３は、図示しないＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどで構成されている。また、この制御部６３のＣＰＵは、ＲＯＭに予め記憶されている各種プログラムを実行することにより、後述の各種制御処理（段階動作処理、時間動作処理等）が実行される。
【００４１】
電源制御部６４は、電源ケーブル８０を介して供給される外部からの電力を、制御装置６０や上述した送風ファン２１、スピーカ３０、複数の発光体１３及び回転モータ４１などへ供給する。
【００４２】
時計用カウンタ６５は、回転式広告塔１における時間を計時するためのものであり、常に所定の電力が供給されている。また、時間を正確にカウントするために、電波時計等の機能を付加してもよい。
【００４３】
第二実施例における回転式広告塔１’の構成を、図６〜図９を参照して説明する。なお、以下の説明では、上述した第一実施例と同じ構成は同じ符号を付して説明を省略し、異なる構成のみを主に説明する。
【００４４】
図６及び図７に示すように、第二実施例に係る回転式広告塔１’は、円盤状のベース板５０の中央部に円筒形の回転台タワー４０が垂直に固設されている。回転台タワー４０の上部には、円盤状の載置台１２が回転モータ４１の回転軸４２と連結されている。載置台１２の上面には、送風ファン２１、芳香剤保持部２２及びスピーカ３０が載置され、これらを覆い隠すように円筒形の回転台１０’が載置台１２の上面に載置される。すなわち、上述した第一実施例においては、商品を模したオブジェ７０の内部に送風ファン２１、芳香剤保持部２２及びスピーカ３０を収納し外部からは見えないようにしていたが、第二実施例においては、回転台１０’の内部に送風ファン２１、芳香剤保持部２２及びスピーカ３０を収納し外部からは見えないようにしている。
【００４５】
また、回転台１０’には、図示はしないが、外部からの空気を回転台１０’の内部に取り入れる空気入口と回転台１０の内部の空気を外部に排出する空気出口とがそれぞれ設けられている。また、この空気入口及び空気出口は、第二実施例に係る回転式広告塔１’が非動作時は閉鎖して、動作時に開放するような開閉式にすることもできる。これにより、回転式広告塔１’の非動作は、回転台１０’の内部に芳香剤２３が密封されることになるので、芳香剤２３が揮発して香の濃度が無駄に低下することを防ぐことができる。
【００４６】
そして、オブジェ７０は回転台１０’の上面に載置される。図８に示すように、第二実施例においては、縦長の薄板状のオブジェ７０を形成し、この薄板状のオブジェ７０の外縁部に複数の発光体１３を設置している。また、オブジェ７０の両面には、商品のテーマである「秋の大収穫祭」というメッセージがプリントされている。このように、第一実施例にように商品を模したオブジェ７０だけではなく、商品のテーマをメッセージで消費者にアピールすることで、秋に関連する複数の商品（サツマイモ、マツタケ、栗、サンマ等）を一度に消費者にアピールすることができる。
【００４７】
この場合は、例えば、芳香手段は、秋の商品であるマツタケの香を出し、出音手段は秋に関連した音楽を出し、発光手段は秋に関連した発光体の色（例えば、紅葉の色）で発光・点滅することで秋の雰囲気を醸し出すことが可能となる。
【００４８】
上述してきた構成の回転式広告塔１’によれば、上述した第一実施例と同様に、回転台１０’に載置したオブジェ７０を水平に３６０度回転させて周囲の消費者に販売する商品のテーマをアピールするとともに、商品に関する香（芳香手段）、音（出音手段）、複数の発光体（発光手段）等により、商品の特徴を消費者の視覚だけではなく、嗅覚及び聴覚に訴えることができるので、消費者の商品への購買意欲を高めることができる。
【００４９】
また、図９に示すように、第二実施例におけるオブジェ７０は、オブジェ７０の下端に回転台１０’の表面と略同径の円盤状の着脱部を設け、この着脱部の下方に突起７４を突設して、回転台１０’の表面に形成した取付け溝１６に、着脱部の突起７４を挿入して突起７４の先端のフック部７５を取付け溝１６の一端に引っかけるように回転して嵌め込むことで、回転台１０’の表面にオブジェ７０を簡単に取付けることができる。また、取外す場合は、取付け溝１６の一端に引っかけた突起７４の先端のフック部７５を逆回転して嵌め込みを解除することで、簡単に回転台１０’の表面からオブジェ７０を取外すことができる。
【００５０】
このように、第二実施例におけるオブジェ７０は、回転台１０’の表面に容易に着脱自在な構成としているので、例えば、図９に示すように、商品名を両面に印刷したが縦長の薄板状のオブジェ７０と商品であるイチゴのショートケーキを模したオブジェ７０とを、状況に応じて適宜選択して用いることが可能となり、消費者に対して同じ商品でも視覚による商品のアピールを変化させることが可能となる。
【００５１】
次に、本発明の回転式広告塔１（又は回転式広告塔１’）の各種制御処理（段階動作処理、時間動作処理等）について、図１０及び図１１を参照して説明する。
【００５２】
以下、図１０を参照して回転式広告塔１の制御装置６０で実行される段階動作処理を説明する。この段階動作処理は、例えば、回転式広告塔１の各種操作スイッチ４３の回転モータ４１のＯＮ／ＯＦＦスイッチがＯＮになったことを契機として起動する処理である。
【００５３】
制御部６３のＣＰＵ（以下、単にＣＰＵという）は、時計用カウンタ６５から現在の時間を取得して、ＲＡＭの所定領域に一時記憶された動作開始待ち時間に到達したか否かを判断する（ステップＳ１０）。そして、ＣＰＵは、動作開始待ち時間に到達していないと判断した場合（ステップＳ１０：ＮＯ）は段階動作処理を終了する。
【００５４】
一方、上記ステップＳ１０において、動作開始待ち時間に到達したと判断した場合（ステップＳ１０：ＹＥＳ）、ＣＰＵは、ステップＳ１１へ処理を移し、一段階目の動作を開始するか否かを判断する。
【００５５】
ステップＳ１１において、一段階目の動作を開始しないと判断した場合（ステップＳ１１：ＮＯ）、ＣＰＵは処理をステップＳ１３に移す。一段階目の動作を開始すると判断した場合（ステップＳ１１：ＹＥＳ）、ＣＰＵは処理をステップＳ１２に移す。
【００５６】
ステップＳ１２において、ＣＰＵは、回転駆動手段を動作開始する。この処理において、ＣＰＵは回転モータ４１に対して回転駆動の開始を指示する。具体的には、記憶部６１に記憶されている回転方向、回転ピッチの異なる複数の回転パターンの内から任意の回転パターンを選択して、回転モータ４１を駆動開始する。これにより、回転式広告塔１の回転台１０の回転が開始され、回転台１０に載置されているオブジェ７０が水平方向に３６０度回転することになる。この処理が終了するとステップＳ１９へ処理を移す。
【００５７】
ＣＰＵは、ステップＳ１３において、二段階目の動作を開始するか否かを判断する。そして、ステップＳ１３において、二段階目の動作を開始しないと判断した場合（ステップＳ１３：ＮＯ）、ＣＰＵは処理をステップＳ１５に移す。二段階目の動作を開始すると判断した場合（ステップＳ１３：ＹＥＳ）、ＣＰＵは処理をステップＳ１４に移す。
【００５８】
ステップＳ１４において、ＣＰＵは、芳香手段を動作開始する。この処理において、ＣＰＵは送風ファン２１に対して送風を指示する。具体的には、記憶部６１に記憶されている複数の送風ファン２１の回転数データ（つまり、送風ファン２１の強弱）の中から一つの回転数データを選択して、送風ファン２１を駆動開始する。これにより、商品に関連する芳香剤２３の香りが送風手段（送風ファン２１）による風力の強弱に応じて回転式広告塔１の周囲に香ることになる。この処理が終了するとステップＳ１９へ処理を移す。
【００５９】
ＣＰＵは、ステップＳ１５において、三段階目の動作を開始するか否かを判断する。ステップＳ１５において、三段階目の動作を開始しないと判断した場合（ステップＳ１５：ＮＯ）、ＣＰＵは処理をステップＳ１７に移す。三段階目の動作を開始すると判断した場合（ステップＳ１５：ＹＥＳ）、ＣＰＵは処理をステップＳ１６に移す。
【００６０】
ステップＳ１６において、ＣＰＵは、出音手段を動作開始する。この処理において、ＣＰＵは送風ファン２１に対して送風を指示する。具体的には、記憶部６１に記憶されている複数の音データの中から一つの音データを選択して、スピーカ３０から出音する。これにより、商品に関連する音が回転式広告塔１の周囲に流れることになる。この処理が終了するとステップＳ１９へ処理を移す。
【００６１】
ＣＰＵは、ステップＳ１７において、四段階目の動作を開始するか否かを判断する。ステップＳ１７において、四段階目の動作を開始しないと判断した場合（ステップＳ１７：ＮＯ）、ＣＰＵは処理をステップＳ２０に移す。四段階目の動作を開始すると判断した場合（ステップＳ１７：ＹＥＳ）、ＣＰＵは処理をステップＳ１８に移す。
【００６２】
ステップＳ１８において、ＣＰＵは、最後に発光手段を動作開始する。この処理において、ＣＰＵは複数の発光体１３に対して発光（点滅等）を指示する。具体的には、記憶部６１に記憶されている複数の発光パターンから選択した発光パターンで複数の発光体１３の発光を制御する。これにより、回転式広告塔１の商品に模したオブジェ７０が電飾されることになる。この処理が終了するとステップＳ１９へ処理を移す。
【００６３】
ステップＳ１９において、ＣＰＵは、動作開始待ち時間をセットする。具体的には、制御装置６０の時計用カウンタから現在の時間を読み出し、例えば、段階的に動作させる各種手段の開始タイムラグを設定して動作開始待ち時間としてＲＡＭの所定領域に一時記憶する。この処理において、例えば、段階的に動作させる各種手段の開始タイムラグを３分とすると、３分間隔毎に、回転駆動手段（回転モータ４１）、芳香手段（送風ファン２１）、出音手段（スピーカ３０）、発光手段（複数の発光体１３）の順序で回転式広告塔１における各手段が段階的に動作することになる。この処理が終了するとＣＰＵは、段階動作処理を終了する。
【００６４】
ステップＳ２０において、ＣＰＵは、段階的に動作させた３分間隔毎に段階的に動作させた、回転式広告塔１における回転駆動手段（回転モータ４１）、芳香手段（送風ファン２１）、出音手段（スピーカ３０）及び発光手段（複数の発光体１３）の動作をすべて停止する。この処理において、ＣＰＵは、次の段階動作開始時間を設定して動作開始待ち時間としてＲＡＭの所定領域に一時記憶する。また、動作段階が一段階目から開始することをＲＡＭの所定領域に一時記憶する。この処理が終了するとＣＰＵは、段階動作処理を終了する。これにより、次の段階動作開始時間になると、回転式広告塔１における各手段が再び一段階目から四段階目まで繰り返されることになる。
【００６５】
上述してきたように、回転式広告塔１は有する各手段を段階的に作動させることで、従来にない消費者の視覚だけではなく、嗅覚及び聴覚に訴えとともに、回転式広告塔１を意外性及びインパクトのある動作をさせることができ、消費者の商品への購買意欲を高めることができる。なお、段階的に動作させる各手段の順番は上述した順番に限らず、例えば、芳香手段を最初に動作させてもよいし、出音手段又は発光手段を最初に動作させた後に他の手段を段階的に動作させることもできる。また、回転式広告塔１で消費者にアピールする商品の種類によっては、全ての手段を動作させる必要はなく、例えば、発光手段の動作を省いて、回転駆動手段、芳香手段、出音手段の順で三段階の動作を段階的に実行してもよい。
【００６６】
以下、図１１を参照して回転式広告塔１の制御装置６０で実行される時間動作処理を説明する。この時間動作処理は、例えば、回転式広告塔１の各種操作スイッチ４３の回転モータ４１のＯＮ／ＯＦＦスイッチがＯＮになったことを契機として起動する処理である。
【００６７】
制御部６３のＣＰＵ（以下、単にＣＰＵという）は、現在の時計用カウンタ６５から取得した時間が、ＲＡＭの所定領域に一時記憶された動作開始時間に到達したか否かを判断する（ステップＳ３０）。そして、ＣＰＵは、動作開始待ち時間に到達していないと判断した場合（ステップＳ３０：ＮＯ）は、ステップＳ３４へ処理を移す。
【００６８】
一方、上記ステップＳ３０において、動作開始時間に到達したと判断した場合（ステップＳ３０：ＹＥＳ）、ＣＰＵは、ステップＳ３１へ処理を移す。
【００６９】
ステップＳ３１において、ＣＰＵは、回転式広告塔１の各種手段（回転駆動手段、芳香手段、出音手段及び発光手段）のうちの動作させる手段を選択する。具体的には、ＣＰＵは、回転駆動手段、芳香手段、出音手段及び発光手段の内の何れか一つ又は少なくとも二つ以上を動作させることを選択する。例えば、電飾の必要のない商品の場合は、回転駆動手段、芳香手段及び出音手段（つまり、発光手段以外）を動作させることを選択する。ＣＰＵは、この処理が終了するとステップＳ３２へ処理を移す。
【００７０】
ステップＳ３２において、ＣＰＵは、上記ステップＳ３１において選択した動作させる各種手段を動作開始させる。この処理が終了すると、ステップＳ３３において、ＣＰＵは、動作終了時間をセットする。具体的には、制御装置６０の時計用カウンタから現在の時間を読み出し、例えば、動作終了時間を１０分後とすると、現在時刻の１０分間後が動作終了時間として設定される。この処理が終了するとＣＰＵは、時間動作処理を終了する。
【００７１】
ＣＰＵは、ステップＳ３４において、既に回転式広告塔１の各種手段（回転駆動手段、芳香手段、出音手段及び発光手段）の何れかが既に動作中であるか否かを判断する。既に動作中であると判断した場合（ステップＳ３４：ＹＥＳ）、ＣＰＵは処理をステップＳ３５に移す。既に動作中ではないと判断した場合（ステップＳ３４：ＮＯ）、ＣＰＵは時間動作処理を終了する。
【００７２】
ＣＰＵは、ステップＳ３５において、制御装置６０の時計用カウンタから現在の時間を読み出し、ＲＡＭの所定領域に一時記憶されている動作終了時間に到達したか否かを判断する。動作終了時間に到達したと判断した場合（ステップＳ３５：ＹＥＳ）、ＣＰＵは処理をステップＳ３６に移す。動作終了時間に到達していないと判断した場合（ステップＳ３５：ＮＯ）、ＣＰＵは時間動作処理を終了する。
【００７３】
ステップＳ３６において、ＣＰＵは、回転式広告塔１における回転駆動手段（回転モータ４１）、芳香手段（送風ファン２１）、出音手段（スピーカ３０）及び発光手段（複数の発光体１３）の動作をすべて停止する。そして、次回の動作開始時間を設定してＲＡＭの所定領域に一時記憶する。この処理において、例えば、次回の動作開始時間が２時間後であると、現在時刻の２時間後が動作開始時間として設定される。この処理が終了するとＣＰＵは時間動作処理を終了する。
【００７４】
上述してきたように、回転式広告塔１の制御部６３のＣＰＵは、回転駆動手段、芳香手段、出音手段及び発光手段の内の何れか一つ又は少なくとも二つ以上を、予め定められた時間（例えば、２時間）毎に動作させることができる。これにより、例えば、本発明の回転式広告塔１をスーパー等の商品の販促に用いた場合、タイムサービス等の予め定められた時間に応じて回転式広告塔１の各手段を動作させることで、商品のアピールにメリハリをつけることができる。また、常に回転式広告塔１の各種手段を動作させるのではなく、時間を決めて回転式広告塔の各手段を動作させることで、省電力を図ることも可能である。
【００７５】
上述してきた各実施例において、出音手段としてのスピーカ３０は、載置台１２の上面に芳香手段を構成する送風ファン２１及び芳香剤保持部２２と一緒に載置される構成としたが、本発明にかかる出音手段の設置位置はこれに限定されるものではなく、例えば、オブジェ７０の任意の位置に設置することもできる。
【００７６】
また、発光手段としての複数の発光体１３の設置位置は、回転台１０に内蔵したり、オブジェ７０の任意の位置に設置したりして、適宜変更可能であり特に限定されるものではない。例えば、商品に模したオブジェ７０の外縁を電照式のアクリルシート仕上げにして、その内部にＬＥＤ内照式として埋め込むことで、オブジェ７０の外縁を電飾することもできる。
【００７７】
以上、各実施例を通して本発明を説明してきたが、本発明はこれらに限定されるものではない。また、上述した各効果は、本発明から生じる最も好適な効果を列挙したに過ぎず、本発明による効果は、本実施の形態に記載されたものに限定されるものではない。
【符号の説明】
【００７８】
１  回転式広告塔
１０  回転台
１３  発光体
２０  芳香装置
２１  送風ファン
２２  芳香剤保持部
３０  スピーカ
４０  回転台タワー
４１  回転モータ
５０  ベース板
６０  制御装置
７０  オブジェ
【図１】
2016080765.tif 000003
【図２】
2016080765.tif 000004
【図３】
2016080765.tif 000005
【図４】
2016080765.tif 000006
【図５】
2016080765.tif 000007
【図６】
2016080765.tif 000008
【図７】
2016080765.tif 000009
【図８】
2016080765.tif 000010
【図９】
2016080765.tif 000011
【図１０】
2016080765.tif 000012
【図１１】
2016080765.tif 000013